(57)【要約】【課題】外壁の建方を行えば、同時に左右の隣り合う外壁パネル間部分を止水状態にすることができて、現場での施工を容易にすることができる外壁パネル間の縦目地止水構造を提供する。【解決手段】左右の外壁パネル１，１間において、各外壁パネル１は、外壁面材４の背面側に上下方向に延びる下地材５を備えると共に、下地材５の背面側に縦パネルフレーム６を備えたものからなっていて、下地材５と外壁面材４との間が第２止水材１２などで止水されると共に、各下地材５は外壁面材４よりも外方に突出し、外壁面材４，４間にカバー外壁面材２が設置され、該カバー外壁面材２と、その背面側の前記各下地材５，５の外方突出部との間が、それらの間に挟み込まれた乾式の第１止水材１３，１３で止水されている。【選択図】      図１
2005023708.tif 000002
【特許請求の範囲】
【請求項１】
左右の外壁パネル間において、各外壁パネルは、外壁面材の背面側に上下方向に延びる下地材を備えると共に、下地材の背面側に縦パネルフレームを備えたものからなっていて、下地材と外壁面材との間が止水されると共に、各下地材は外壁面材よりも外方に突出し、
外壁面材間にカバー外壁面材が設置され、該カバー外壁面材と、その背面側の前記各下地材外方突出部との間が、それらの間に挟み込まれた乾式の第１止水材で止水されていることを特徴とする外壁パネル間の縦目地止水構造。
【請求項２】
前記下地材とパネル外壁面材との間が乾式の第２止水材で止水され、
前記第１、第２の止水材間において、下地材とパネル外壁面材、及び、下地材外方突出部とカバー外壁面材とがそれぞれ前後方向に離間され、上下方向に延びる排水用の空間部が形成されている請求項１に記載の外壁パネル間の止水構造。
【請求項３】
前記カバー外壁面材を屋内側から引き寄せて取り付ける引寄せ取付け手段が備えられ、
該引寄せ取付け手段による屋内側へのカバー外壁面材の引寄せによって、前記各第１止水材がカバー外壁面材と各下地材外方突出部との間に挟み込まれている請求項１又は２に記載の外壁パネル間の縦目地止水構造。
【請求項４】
前記カバー外壁面材が、各外壁パネルの外壁面材と外観上同質のものからなり、カバー外壁面材とパネル外壁面材とが目地幅ゼロないしは目地幅略ゼロで隣接している請求項１乃至３のいずれか一に記載の外壁パネル間の縦目地止水構造。
【請求項５】
前記カバー外壁面材と各パネル外壁面材とが、屋外側においてカバー外壁面材を凸、屋内側においてパネル外壁面材を凸とするようにしてあいじゃくり状に嵌め合わされ、これら凸間に乾式の第３止水材が挟み込まれ、それらの間が止水されている請求項１乃至４のいずれか一に記載の外壁パネル間の縦目地止水構造。
【発明の詳細な説明】
【０００１】
【発明の属する技術分野】
本発明は、外壁パネル間の縦目地止水構造に関する。
【０００２】
【従来の技術】
住宅等の建物において、左右の隣り合う外壁パネル間部分の止水は、従来より、外壁パネルの建方を行った後に、隣り合う外壁パネルの外壁面材間を湿式にてシーリングしたり、外壁面材間に乾式のガスケットを嵌め込むことなどにより行われていた。
【０００３】
【発明が解決しようとする課題】
しかしながら、上記のような止水工法では、雨などにより建物の内部に水が侵入してしまうのを防ぐため、止水の施工を、外壁の建方を行った後に早急に行わなければならず、施工が厄介であるという問題があった。
【０００４】
本発明は、上記のような従来の問題点に鑑み、外壁の建方を行えば、同時に左右の隣り合う外壁パネル間部分を止水状態にすることができて、現場での施工を容易にすることができる外壁パネル間の縦目地止水構造を提供することを課題とする。
【０００５】
【課題を解決するための手段】
上記の課題は、左右の外壁パネル間において、各外壁パネルは、外壁面材の背面側に上下方向に延びる下地材を備えると共に、下地材の背面側に縦パネルフレームを備えたものからなっていて、下地材と外壁面材との間が止水されると共に、各下地材は外壁面材よりも外方に突出し、
外壁面材間にカバー外壁面材が設置され、該カバー外壁面材と、その背面側の前記各下地材外方突出部との間が、それらの間に挟み込まれた乾式の第１止水材で止水されていることを特徴とする外壁パネル間の縦目地止水構造によって解決される。
【０００６】
この構造では、外壁パネルにおいて、パネル外壁面材と下地材とはそれらの間が予め止水されており、また、左右の外壁パネルの建方を行った後にカバー外壁面材の建方を行えば、下地材外方突出部とカバー外壁面材との間が第１止水材によって止水状態となる。従って、外壁パネルとカバー外壁面材とを含む外壁の建方を行えば、同時に左右の外壁パネル間部分が止水状態となり、現場での施工を容易にすることができる。
【０００７】
前記下地材とパネル外壁面材との間が乾式の第２止水材で止水され、
前記第１、第２の止水材間において、下地材とパネル外壁面材、及び、下地材外方突出部とカバー外壁面材とがそれぞれ前後方向に離間され、上下方向に延びる排水用の空間部が形成されている場合は、外壁面材間を越えて内部に侵入してきた水を、排水用空間部内において下方に流すことができ、屋内側への水の侵入を効果的に防ぐことができる。
【０００８】
前記カバー外壁面材を屋内側から引き寄せて取り付ける引寄せ取付け手段が備えられ、該引寄せ取付け手段による屋内側へのカバー外壁面材の引寄せによって、前記各第１止水材がカバー外壁面材と各下地材外方突出部との間に挟み込まれている場合は、カバー外壁面材の取付けを容易に行うことができると共に、第１止水材をカバー外壁面材と各下地材外方突出部との間にしっかりと挟み込むことができて、止水性能を非常に高いものにすることができ、また、そのような手段の存在を容易に屋外側から見えないようにすることができる。
【０００９】
前記カバー外壁面材が、各外壁パネルの外壁面材と外観上同質のものからなり、カバー外壁面材とパネル外壁面材とが目地幅ゼロないしは目地幅略ゼロで隣接している場合は、屋外側から見た外壁面を、カバー外壁面材の存在を感じさせにくく、しかも、縦目地の存在をも感じさせにくい、すっきりとした外観にすることができる。
【００１０】
前記カバー外壁面材と各パネル外壁面材とが、屋外側においてカバー外壁面材を凸、屋内側においてパネル外壁面材を凸とするようにしてあいじゃくり状に嵌め合わされ、これら凸間に乾式の第３止水材が挟み込まれ、それらの間が止水されている場合は、外壁の建方を行えば、同時に外壁面材間も止水状態にすることができ、外壁建方後の外壁面材間への湿式シーリングの施工や乾式ガスケットの嵌込みをなくすことができる。
【００１１】
【発明の実施の形態】
次に、本発明の実施形態を図面に基づいて説明する。
【００１２】
図１及び図２に示す実施形態の縦目地止水構造において、１，１は左右の外壁パネル、２はカバー外壁面材である。３は建物躯体としての柱である。
【００１３】
左右の外壁パネル１，１間部分において、各外壁パネル１は、図３（イ）（ロ）に示すように、外壁面材４の背面側に下地材５を備えると共に、下地材５の背面側に縦パネルフレーム６を備えたものからなっている。本実施形態では、外壁面材４は、下地材５を介してパネルフレーム６にビス７で取り付けられた面材保持金物８に、縁部を保持されることで、外壁パネル１に備えられている。
【００１４】
下地材５は、例えば発泡ポリスチレン樹脂などの、それ自体で止水性を備えたものからなっていて、上下方向に延びる帯板状をし、外壁面材４の背面側から外壁面材４よりも外方に突出している。
【００１５】
そして、下地材５の屋外側の面部において、外壁面材４の背面側の縁部と、外壁面材４よりも外方に突出する側の縁部にはそれぞれ、屋外側に立ち上がる第１，第２の隆起部９，１０が備えられて隆起部９，１０間に上下方向に延びる排水用の凹所１１が形成され、外壁面材４の背面側の第２隆起部９と外壁面材４との間に乾式の第２止水材１２が挟み込まれて外壁面材４と下地材５との間が止水されている。また、下地材５の外方突出側の第１隆起部１０の屋外側の面部に、下地材５とカバー外壁面材２との間を止水する乾式の第１止水材１３が取り付けられている。
【００１６】
更に、パネル外壁面材４の側縁部は、カバー外壁面材２とのあいじゃくり状の嵌め合わせと面材保持金物８による保持のため、屋内側半部において凸４ａの形状に成形されている。
【００１７】
カバー外壁面材２は、図１及び図２に示すように、パネル外壁面材４と外観上同質のものからなり、左右の側縁部が、パネル外壁面材４，４とのあいじゃくり状の嵌め合わせのため、図４（イ）（ロ）に示すように、屋外側半部において凸２ａ，２ａの形状に成形され、各凸２ａ，２ａの屋内側の面部に、パネル外壁面材４，４とカバー外壁面材２との間を止水する乾式の第３止水材１４，１４が取り付けられている。
【００１８】
このカバー外壁面材２は、引寄せ取付け手段による屋内側への引寄せによって、左右のパネル外壁面材４，４間に取り付けられる。
【００１９】
即ち、カバー外壁面材２の背面部には、断面ハット形の金物１５がハット部１５ａを屋内側に向けるようにして取り付けられ、ハット部１５ａの内部にはナット１６が設置されている。また、図２に示すように、柱３は、屋内側の側面部が開放された溝形鋼からなっていて、屋外側の側面部にボルト通孔３ａが備えられている。そして、屋内側からボルト通孔３ａにボルト１７が通され、このボルト１７の先端部がカバー外壁面材２の側のナット１６に螺合され、ボルト１７を屋内側から締めていくことで、カバー外壁面材２が屋内側へ引き寄せられて左右のパネル外壁面材４，４間に取り付けられるようになされている。
【００２０】
この引寄せ手段による引寄せによって、図１に示すように、左右のパネル下地材５，５の外方突出部に備えられた第１止水材１３，１３が、カバー外壁面材２の背面部と各パネル下地材５，５の外方突出部との間に挟み込まれて、カバー外壁面材２と、その背面側の左右の各パネル下地材５，５の外方突出部との間が止水されている。
【００２１】
そして、各パネル下地材５に備えられている上記の隆起部９，１０によって、下地材５とパネル外壁面材４、及び、下地材５の外方突出部とカバー外壁面材２とがそれぞれ前後方向に離間状態となり、隆起部９，１０間の排水用凹所１１によって、カバー外壁面材２と各パネル外壁面材４，４との間の背後にそれぞれ、上下方向に延びる排水用の空間部１８，１８が形成されている。
【００２２】
また、カバー外壁面材２のこのような引寄せによって、カバー外壁面材２と左右のパネル外壁面材４とがあいじゃくり状に嵌め合わされ、凸２ａ，４ａ間に第３止水材１４が挟み込まれて、カバー外壁面材２と左右のパネル外壁面材４，４との間が止水されている。また、その状態で、カバー外壁面材２とパネル外壁面材４，４とは目地幅ゼロないしは目地幅略ゼロで隣接するようになされている。
【００２３】
上記の止水構造では、左右の各外壁パネル１，１において、パネル外壁面材４と下地材５とはそれらの間が予め第２止水材１２で止水されており、また、左右の外壁パネル１，１の建方を行った後に、カバー外壁面材２の建方を、上記の引寄せ手段の構成部品であるボルト１７の締付けで屋内側に引き寄せるようにして行えば、左右の下地材５，５の外方突出部とカバー外壁面材２との間に第１止水材１３，１３が挟み込まれ、それらの間が第１止水材１３，１３で止水状態となる。従って、外壁パネル１，１とカバー外壁面材２とを含む外壁の建方を行えば、同時に左右の外壁パネル間部分が止水状態となり、現場での施工を容易にすることができる。しかも、カバー外壁面材２には、フレームや下地材は備えられていないので、軽量であり、カバー外壁面材２の建方を容易に行うことができる。
【００２４】
また、カバー外壁面材２と各パネル外壁面材４，４との間の背後にそれぞれ、上下方向に延びる排水用の空間部１８，１８が形成されているので、外壁面材４，２；２，４間を越えて内部に侵入してきた水を、排水用空間部１８，１８内において下方に流すことができ、屋内側への水の侵入を効果的に防ぐことができる。
【００２５】
更に、上記のようにして外壁の建方を行えば、同時に、カバー外壁面材２と左右のパネル外壁面材４，４との間に第３止水材１４が挟み込まれて、それらの間が止水され、外壁建方後の外壁面材４，２；２，４間への湿式シーリングの施工や乾式ガスケットの嵌込みをなくすことができ、施工をより一層容易にすることができる。
【００２６】
また、上記のような引寄せ手段の採用により、カバー外壁面材２の取付けを容易に行うことができ、しかも、第１止水材１３，１３をカバー外壁面材２と各パネル下地材５，５の外方突出部との間にしっかりと挟み込むことができると共に、第３止水材１４，１４の挟込みもしっかりしたものにすることができて、外壁パネル１，１間の止水性能を非常に高いものにすることができ、また、そのような手段の存在を容易に屋外側から見えないようにすることができる。
【００２７】
また、上記の実施形態では、カバー外壁面材２が、各パネル外壁面材４，４と同質のものからなり、カバー外壁面材２とパネル外壁面材４とが目地幅ゼロないしは目地幅略ゼロで隣接しているので、屋外側から見た外壁面を、カバー外壁面材２の存在を感じさせにくく、しかも、縦目地の存在をも感じさせにくい、すっきりとした外観にすることができる。
【００２８】
以上に、本発明の実施形態を示したが、本発明はこれに限られるものではなく、発明思想を逸脱しない範囲で各種の変更が可能である。例えば上記の実施形態では、パネル下地材５とパネル外壁面材４との間を乾式の第２止水材１２で止水した場合を示しているが、パネル下地材５とパネル外壁面材４との間が、それらを止水性の粘着剤で接着して、止水されたものであってもよい。また、排水用空間部１８，１８は省略されてもよい。更に、上記の実施形態では、カバー外壁面材の引寄せ手段として、特定構造のものを示したが、これに限られるものではなく、カバー外壁面材２を屋内側から引き寄せて取り付ける機構を備えたものであればよい。また、このような引寄せ手段に限らず、カバー外壁面材２を屋外側から屋内側に押し付けるその他の手段が採用されてもよい。また、カバー外壁面材とパネル外壁面材との間は、目地幅ゼロないしは目地幅略ゼロで隣接させることなく開かせ、従来のように、それらの間に、湿式シーリングを施したり、ガスケットを嵌め込んだりして止水するようにしてもよいし、あるいは、止水せずにオープン目地にするようにしてもよい。
【００２９】
【発明の効果】
本発明は、以上のとおりのものであるから、外壁の建方を行えば、同時に左右の隣り合う外壁パネル間部分を止水状態にすることができて、現場での施工を容易にすることができる。
【図面の簡単な説明】
【図１】実施形態の縦目地止水構造を示す平面断面図である。
【図２】カバー外壁面材を分離状態にして示す平面断面図である。
【図３】外壁パネルを示すもので、図（イ）は平面断面図、図（ロ）は分解平面断面図である。
【図４】カバー外壁面材を示すもので、図（イ）は平面断面図、図（ロ）は分解平面断面図である。
【符号の説明】
１…外壁パネル
２…カバー外壁面材
２ａ…凸
４…パネル外壁面材
４ａ…凸
５…下地材
６…縦パネルフレーム
１２…第２止水材
１３…第１止水材
１４…第３止水材
１７…ボルト（引寄せ手段）
１８…排水用空間部
【図１】
2005023708.tif 000003
【図２】
2005023708.tif 000004
【図３】
2005023708.tif 000005
【図４】
2005023708.tif 000006